(57)【特許請求の範囲】
【請求項１】
センサーによって現在の状態が未使用状態であると確定した時、通信接続を確立したモバイル端末が作動状態にあるか否かを検出するステップと、
前記モバイル端末が作動状態にある場合、前記モバイル端末に待機状態に入る命令を送信するステップと、
を含み、
前記通信接続を確立したモバイル端末が作動状態にあるか否かを検出するステップは、
前記モバイル端末が送信したマルチメディア情報又はインタラクション情報を受信したか否かを検出するステップを含む
ことを特徴とする作動状態を制御する方法。
【請求項２】
前記センサーが、使用状態にある時に圧力信号を生成する圧力センサーである場合、前記圧力センサーが検出した圧力信号が圧力閾値より小さくなると、現在の状態が未使用状態であると確定する
ことを特徴とする請求項１に記載の作動状態を制御する方法。
【請求項３】
前記センサーが、使用状態にある時に光信号強度を生成する光センサーである場合、前記光センサーが検出した光信号強度が光閾値より小さくなると、現在の状態が未使用状態であると確定する
ことを特徴とする請求項１に記載の作動状態を制御する方法。
【請求項４】
前記センサーが位置センサーである場合、前記位置センサーが検出した変位値が変位閾値より小さいことが検出されると、現在の状態が未使用状態であると確定する
ことを特徴とする請求項１に記載の作動状態を制御する方法。
【請求項５】
プロセッサーと、
プロセッサーで実行可能な命令を記憶するためのメモリとを備え、
前記プロセッサーは、
センサーによって現在の状態が未使用状態であると確定した時、通信接続を確立したモバイル端末が作動状態にあるか否かを検出し、
前記モバイル端末が作動状態にある場合、前記モバイル端末に待機状態に入る命令を送信するように構成され、
前記プロセッサーは、さらに、受信機が前記モバイル端末から送信したマルチメディア情報又はインタラクション情報を受信したか否かを検出するように構成される
ことを特徴とする作動状態を制御する装置。
【請求項６】
前記センサーは、圧力センサー、光センサー又は位置センサーである
ことを特徴とする請求項５に記載の作動状態を制御する装置。
【請求項７】
前記プロセッサーは、前記圧力センサーが検出した圧力信号が圧力閾値より小さくなると、現在の状態が未使用状態であると確定し、又は
前記プロセッサーは、前記光センサーが検出した光信号強度が光閾値より小さくなると、現在の状態が未使用状態であると確定し、又は
前記プロセッサーは、前記位置センサーが検出した変位値が変位閾値より小さいことが検出されると、現在の状態が未使用状態であると確定する
ことを特徴とする請求項６に記載の作動状態を制御する装置。
【請求項８】
センサーによって現在の状態が未使用状態であると確定した時、通信接続を確立したモバイル端末が作動状態にあるか否かを検出する検出モジュールと、
前記モバイル端末が作動状態にある場合、前記モバイル端末に待機状態に入る命令を送信する送信モジュールと、
を備え、
前記検出モジュールは、前記モバイル端末が送信したマルチメディア情報又はインタラクション情報を受信したか否かを検出する
ことを特徴とする作動状態を制御する装置。
【請求項９】
前記センサーが、使用状態にある時に圧力信号を生成する圧力センサーである場合、前記圧力センサーが検出した圧力信号が圧力閾値より小さくなると、現在の状態が未使用状態であると確定し、又は
前記センサーが、使用状態にある時に光信号強度を生成する光センサーである場合、前記光センサーが検出した光信号強度が光閾値より小さくなると、現在の状態が未使用状態であると確定し、又は
前記センサーが位置センサーである場合、前記位置センサーが検出した変位値が変位閾値より小さいことが検出されると、現在の状態が未使用状態であると確定する、確定モジュール
をさらに備えることを特徴とする請求項８に記載の作動状態を制御する装置。
【請求項１０】
プロセッサーに実行されることにより、請求項１−４のうちいずれか１項に記載の端末の作業モードを確定するための方法を実現する、プログラム。
【請求項１１】
請求項１０に記載のプログラムが記録されたコンピュータ読取可能な記録媒体。
【発明の詳細な説明】
【技術分野】
【０００１】
本発明は、インターネット技術分野に関し、特に作動状態を制御する方法、装置、プログラム、及び記録媒体に関する。
【背景技術】
【０００２】
ＶＲ（Ｖｉｒｔｕａｌ  Ｒｅａｌｉｔｙ、仮想現実）技術は、コンピュータグラフィックスシステムと、各種の現実及び制御等のインタフェース装置を総合利用して、コンピュータに生成したインタラクション可能な３次元環境の中に入り込み、そこでいろいろな体験をしようという技術である。ＶＲ技術は、都市計画、室内設計、工業シミュレーション、古跡の復元、橋梁や道路の設計、不動産販売、観光教育、水利電力、地質災害、教育訓練等の多くの分野で広く適用され、それらのために適切で実行し得る解決策を提供することができる。
【発明の概要】
【発明が解決しようとする課題】
【０００３】
しかしながら、本発明の実施例を実現する過程で、発明者は、従来技術に少なくとも以下の問題が存在することを見出した。即ち、すぐれたＶＲ体験には大きい計算量を必要とし、電力の消費が非常に大きくなる。
【０００４】
本発明の実施例は、作動状態を制御する方法、装置、プログラム、及び記録媒体を提供する。
【課題を解決するための手段】
【０００５】
本発明の第１の実施態様によれば、作動状態を制御する方法を提供し、前記方法は、
センサーによって現在の状態が未使用状態であると確定した時、通信接続を確立したモバイル端末が作動状態にあるか否かを検出するステップと、
前記モバイル端末が作動状態にある場合、前記モバイル端末に待機状態に入る命令を送信するステップと、を含む。
【０００６】
選択的に、前記センサーが、使用状態にある時に圧力信号を生成する圧力センサーである場合、前記圧力センサーが検出した圧力信号が圧力閾値より小さくなると、現在の状態が未使用状態であると確定する。
【０００７】
選択的に、前記センサーが、使用状態にある時に光信号強度を生成する光センサーである場合、前記光センサーが検出した光信号強度が光閾値より小さくなると、現在の状態が未使用状態であると確定する。
【０００８】
選択的に、前記センサーが位置センサーである場合、前記位置センサーが検出した変位値が変位閾値より小さいことが検出されると、現在の状態が未使用状態であると確定する。
【０００９】
選択的に、前記通信接続を確立したモバイル端末が作動状態にあるか否かを検出するステップは、
前記モバイル端末が送信したマルチメディア情報又はインタラクション情報を受信したか否かを検出するステップを含む。
【００１０】
本発明の第２の実施態様によれば、作動状態を制御する装置を提供し、前記装置は、
プロセッサーと、
プロセッサーで実行可能な命令を記憶するためのメモリとを備え、
前記プロセッサーは、
センサーによって現在の状態が未使用状態であると確定した時、通信接続を確立したモバイル端末が作動状態にあるか否かを検出し、
前記モバイル端末が作動状態にある場合、前記モバイル端末に待機状態に入る命令を送信するように構成される。
【００１１】
選択的に、前記センサーは、圧力センサー、光センサー又は位置センサーを備える。
【００１２】
選択的に、前記プロセッサーは、前記圧力センサーが検出した圧力信号が圧力閾値より小さくなると、現在の状態が未使用状態であると確定し、又は
前記プロセッサーは、前記光センサーが検出した光信号強度が光閾値より小さくなると、現在の状態が未使用状態であると確定し、又は
前記プロセッサーは、前記位置センサーが検出した変位値が変位閾値より小さいことが検出されると、現在の状態が未使用状態であると確定する。
【００１３】
選択的に、前記プロセッサーは、受信機が前記モバイル端末から送信したマルチメディア情報又はインタラクション情報を受信したか否かを検出する。
【００１４】
本発明の第３の実施態様によれば、作動状態を制御する装置を提供し、前記装置は、
センサーによって現在の状態が未使用状態であると確定した時、通信接続を確立したモバイル端末が作動状態にあるか否かを検出する検出モジュールと、
前記モバイル端末が作動状態にある場合、前記モバイル端末に待機状態に入る命令を送信する送信モジュールと、を備える。
【００１５】
選択的に、前記センサーが、使用状態にある時に圧力信号を生成する圧力センサーである場合、前記圧力センサーが検出した圧力信号が圧力閾値より小さくなると、現在の状態が未使用状態であると確定し、又は
前記センサーが、使用状態にある時に光信号強度を生成する光センサーである場合、前記光センサーが検出した光信号強度が光閾値より小さくなると、現在の状態が未使用状態であると確定し、又は
前記センサーが位置センサーである場合、前記位置センサーが検出した変位値が変位閾値より小さいことが検出されると、現在の状態が未使用状態であると確定する、確定モジュールをさらに備える。
【００１６】
選択的に、前記検出モジュールは、前記モバイル端末が送信したマルチメディア情報又はインタラクション情報を受信したか否かを検出する。
本発明の第４の態様によれば、プロセッサーに実行されることにより、上記方法を実現する、プログラムを提供する。
本発明の第５の態様によれば、上記プログラムが記録されたコンピュータ読取可能な記録媒体を提供する。
【発明の効果】
【００１７】
本発明に提供された技術案によれば、以下の技術効果が奏される。
【００１８】
再生装置の使用状態を検出することで再生装置との通信接続を確立したモバイル端末を待機状態に入らせるか否かを確定することによって、モバイル端末の消費電力を下げるし、使用時間を延長する効果が奏される。さらに、異なるセンサーを使う場合、採用している具体的な技術の詳細も違うが、すべては使用状態を正確に検出する技術効果が奏される。
【００１９】
なお、前記一般的な記載及び後述の詳細な記載は、単なる例示的で解釈的な記載であり、本発明を限定しない。
【図面の簡単な説明】
【００２０】
ここの図面は、明細書に組み入れて本明細書の一部分を構成し、本発明に該当する実施例を例示するとともに、明細書とともに本発明の原理を解釈する。
【図１】本発明の各実施例に係る実施環境を示す模式図である。
【図２】一例示的な実施例に係る装置を示すブロック図である。
【図３】一例示的な実施例に係る作動状態を制御する方法を示すフローチャートである。
【図４】他の例示的な実施例に係る作動状態を制御する方法を示すフローチャートである。
【図５】一例示的な実施例に係る作動状態を制御する装置を示すブロック図である。
【図６】他の例示的な実施例に係る作動状態を制御する装置を示すブロック図である。
【００２１】
本発明の実施例は、以上の図面によって明確的に図示されたが、後でより詳細に記述される。これらの図面及び文字記述は、いかなる方式によって本発明の構想の範囲を制限するためではなく、特定の実施例を参照することによって、当業者に本発明の概念を説明させるためである。
【発明を実施するための形態】
【００２２】
以下、例示的な実施例を詳しく説明し、その例示を図に示す。以下の記述が図面に関わる場合、特に別の説明がない限り、異なる図面における同一符号は、同じ又は類似する要素を示す。以下の例示的な実施形態に記載の実施例は、本発明と一致する全ての実施例を代表するものではない。即ち、それらは、特許請求の範囲に記載の本発明のある側面に一致する装置及び方法の例に過ぎない。
【００２３】
図１は、本発明の各実施例に係る実施環境を示す模式図であり、前記実施環境は、モバイル端末１２０（例えば、携帯電話）及び再生装置１６０（例えば、ＶＲプレーヤー）を含む。
【００２４】
モバイル端末１２０とは、マルチメディア情報を提供する装置又は再生装置１６０とのインタラクションを生成することができる装置であって、電源及び独立した処理能力を備えてもよい。モバイル端末１２０は携帯電話、タブレットＰＣ、電子書籍リーダー、ＰＤＡ等であってもよいし、スマートカメラ、スマートテレビ等のスマートホーム装置、又はスマートブレスレット、スマートウォッチ、スマートヘルメット等のウェアラブル装置等であってもよい。本発明の実施例では、モバイル端末１２０として携帯電話を例にして説明する。
【００２５】
再生装置１６０は、モバイル端末１２０との通信接続確立が可能であり、モバイル端末１２０が提供したマルチメディア情報を受信し再生する装置であって、モバイル端末１２０とのインタラクション操作が可能な装置である。再生装置１６０は、ＶＲプレーヤー、スマートメガネ、又はスマートヘルメット等であってもよい。ここで、モバイル端末１２０と再生装置１６０との間の通信接続は、有線接続や無線接続等の方式であってもよい。両者の接続方式が有線接続である場合、データ線によって、例えばＵＳＢインタフェース等のような両者の外部インタフェースを接続し、両者の接続方式が無線接続である場合、Ｗｉ−Ｆｉ（Ｗｉｒｅｌｅｓｓ  Ｆｉｄｅｌｉｔｙ、無線ファイ）、ブルートゥース（登録商標）等の方式を利用できる。
【００２６】
再生装置１６０又はモバイル端末１２０において、アプリケーションを実行して情報インタラクションを行って、物理ボタン、タッチキー又はバーチャルボタン等によって動作指令等をトリガする。
【００２７】
図２は、一例示的な実施例に係る装置２００を示すブロック図であり、装置２００は、モバイル端末１２０又は再生装置１６０に用いられる。例えば、装置２００は、携帯電話、コンピュータ、デジタルブロードキャスト端末、メッセージ送受信機、ゲーム機、タブレットデバイス、医療機器、フィットネス機器、ＰＤＡ、スマートホーム装置、ウェアラブル装置等のものであってもよい。
【００２８】
図２を参照すると、装置２００は、処理ユニット２０２、メモリ２０４、電源ユニット２０６、マルチメディアユニット２０８、オーディオユニット２１０、入力／出力（Ｉ／Ｏ）インタフェース２１２、センサーユニット２１４、及び通信ユニット２１６からなる群から選ばれる少なくとも１つを備えてもよい。
【００２９】
処理ユニット２０２は、一般的には、装置２００の全体の操作、例えば、表示、電話呼び出し、データ通信、マルチメディア再生操作、カメラ操作及び記録操作に関連する操作を制御する。処理ユニット２０２は、上述した方法におけるステップの一部又は全部を実現できるように、命令を実行する少なくとも１つのプロセッサー２２０を備えてもよい。また、処理ユニット２０２は、他のユニットとのインタラクションを便利にさせるように、少なくとも１つのモジュールを備えてもよい。例えば、処理ユニット２０２は、マルチメディアユニット２０８とのインタラクションを便利にさせるように、マルチメディアモジュールを備えてもよい。
【００３０】
メモリ２０４は、装置２００での操作をサポートするように、各データを記憶するように配設される。これらのデータは、例えば、装置２００で何れのアプリケーション又は方法を操作するための命令、連絡先データ、電話帳データ、メッセージ、画像、ビデオ等を含む。メモリ２０４は、何れの種類の揮発性又は不揮発性メモリ、例えば、ＳＲＡＭ（Ｓｔａｔｉｃ Ｒａｎｄｏｍ Ａｃｃｅｓｓ Ｍｅｍｏｒｙ）、ＥＥＰＲＯＭ（Ｅｌｅｃｔｒｉｃａｌｌｙ Ｅｒａｓａｂｌｅ Ｐｒｏｇｒａｍｍａｂｌｅ Ｒｅａｄ−Ｏｎｌｙ Ｍｅｍｏｒｙ）、ＥＰＲＯＭ（Ｅｒａｓａｂｌｅ Ｐｒｏｇｒａｍｍａｂｌｅ Ｒｅａｄ Ｏｎｌｙ Ｍｅｍｏｒｙ）、ＰＲＯＭ（Ｐｒｏｇｒａｍｍａｂｌｅ ＲＯＭ）、ＲＯＭ（Ｒｅａｄ Ｏｎｌｙ Ｍｅｍｂｅｒ）、磁気メモリ、フラッシュメモリ、磁気ディスク、或いは光ディスクにより、或いはそれらの組み合わせにより実現することができる。
【００３１】
電源ユニット２０６は、装置２００の各ユニットに電力を供給するためのものであり、電源管理システム、１つ又は複数の電源、及び装置２００のために電力を生成、管理及び分配することに関連する他のユニットを備えてもよい。
【００３２】
マルチメディアユニット２０８は、装置２００とユーザとの間に出力インタフェースを提供するスクリーンを備えてもよい。スクリーンは、例えば、液晶ディスプレイ（ＬＣＤ）やタッチパネル（ＴＰ）を備えてもよい。スクリーンは、タッチパネルを備える場合、ユーザからの入力信号を受信するように、タッチスクリーンになることができる。また、タッチパネルは、タッチや、スライドや、タッチパネル上の手振りを感知するように、少なくとも１つのタッチセンサーを有する。タッチセンサーは、タッチやスライド動作の境界を感知できるだけではなく、タッチやスライド操作と関連する持続時間や圧力も感知できる。一実施例では、マルチメディアユニット２０８は、フロントカメラ及び/又はバックカメラを有してもよい。装置２００が、例えば、撮影モードやビデオモードのような操作モードにある時、フロントカメラ及び/又はバックカメラが外部のマルチメディアデータを受信できる。フロントカメラ及びバックカメラのそれぞれは、固定の光学レンズ系であってもよいし、焦点距離及び光学ズーム能力を有するものであってもよい。
【００３３】
オーディオユニット２１０は、オーディオ信号を出力及び/又は入力するように配設される。例えば、オーディオユニット２１０は、マイクロフォン（ＭｉＣ）を有してもよい。装置２００が、例えば、呼び出しモード、記録モード、又は音声認識モードのような操作モードにあるとき、マイクロフォンは、外部のオーディオ信号を受信するように配設される。受信したオーディオ信号は、メモリ２０４にさらに記憶されてもよいし、通信ユニット２１６を介して送信されてもよい。一実施例では、オーディオユニット２１０は、オーディオ信号を出力するためのスピーカをさらに備えてもよい。
【００３４】
Ｉ/Ｏインタフェース２１２は、処理ユニット２０２と外部のインタフェースモジュールとの間にインタフェースを提供するためのものである。上記外部のインタフェースモジュールは、キーボードや、クリックホイールや、ボタン等であってもよい。これらのボタンは、ホームボタンや、音量ボタンや、スタートボタンや、ロックボタンであってもよいが、それらに限らない。
【００３５】
センサーユニット２１４は、装置２００のために各方面の状態を評価する少なくとも１つのセンサーを備えてもよい。例えば、センサーユニット２１４は、装置２００のオン/オフ状態や、ユニットの相対的な位置を検出することができる。例えば、前記ユニットは、装置２００のディスプレイ及びキーパッドである。センサーユニット２１４は、装置２００又は装置２００の１つのユニットの位置の変化、ユーザによる装置２００への接触の有無、装置２００の方向又は加速/減速、装置２００の温度変化等を検出することができる。センサーユニット２１４は、何れの物理的な接触もない場合に付近の物体を検出するように配設される近接センサーを有してもよい。センサーユニット２１４は、イメージングアプリケーションに用いるための光センサー、例えば、ＣＭＯＳ又はＣＣＤ画像センサーを有してもよい。一実施例では、当該センサーユニット２１４は、圧力センサー、位置センサー、加速度センサー、ジャイロスコープセンサー、磁気センサー又は温度センサーをさらに備えてもよい。
【００３６】
通信ユニット２１６は、装置２００と他の設備の間との無線通信又は有線通信を便利にさせるように配設される。装置２００は、通信標準規格に基づく無線ネットワークに、例えば、ＷｉＦｉ、２Ｇ又は３Ｇ、又はそれらの組み合わせに、アクセスできる。１つの例示的な実施例では、通信ユニット２１６は、ブロードキャストチャンネルを介して外部のブロードキャスト管理システムからのブロードキャスト信号又はブロードキャストに関する情報を受信する。１つの例示的な実施例では、通信ユニット２１６は、近距離通信を促進するために近距離無線通信（ＮＦＣ）モジュールをさらに備えてもよい。例えば、ＮＦＣモジュールは、無線周波数認識装置（ＲＦＩＤ：Ｒａｄｉｏ Ｆｒｅｑｕｅｎｃｙ ＩＤｅｎｔｉｆｉｃａｔｉｏｎ）技術、赤外線データ協会（ＩｒＤＡ：Ｉｎｆｒａｒｅｄ Ｄａｔａ Ａｓｓｏｃｉａｔｉｏｎ）技術、超広帯域無線（ＵＷＢ：Ｕｌｔｒａ Ｗｉｄｅ Ｂａｎｄ）技術、ブルートゥース（登録商標）（ＢＴ：Ｂｌｕｅｔｏｏｔｈ）技術及び他の技術によって実現されてもよい。
【００３７】
例示的な実施例では、装置２００は、上述した方法を実行するために、１つ又は複数の特定用途向け集積回路（ＡＳＩＣ：Ａｐｐｌｉｃａｔｉｏｎ Ｓｐｅｃｉｆｉｃ Ｉｎｔｅｇｒａｔｅｄ Ｃｉｒｃｕｉｔ）、デジタル信号プロセッサー（ＤＳＰ：Ｄｉｇｉｔａｌ Ｓｉｇｎａｌ Ｐｒｏｃｅｓｓｏｒ）、デジタル信号処理デバイス（ＤＳＰＤ：Ｄｉｇｉｔａｌ Ｓｉｇｎａｌ Ｐｒｏｃｅｓｓｉｎｇ Ｄｅｖｉｃｅ）、プログラマブルロジックデバイス（ＰＬＤ：Ｐｒｏｇｒａｍｍａｂｌｅ Ｌｏｇｉｃ Ｄｅｖｉｃｅ）、書替え可能ゲートアレイ（ＦＰＧＡ：Ｆｉｅｌｄ−Ｐｒｏｇｒａｍｍａｂｌｅ Ｇａｔｅ Ａｒｒａｙ）、コントローラ、マイクロコントローラ、マイクロプロセッサー、又は他の電子機器によって実現されてもよい。
【００３８】
例示的な実施例では、命令を有する非一時的コンピュータ読み取り可能な記録媒体、例えば、命令を有するメモリ２０４をさらに提供する。前記命令は、装置２００のプロセッサー２２０により実行されて上述した方法を実現する。例えば、前記非一時的コンピュータ読み取り可能な記録媒体は、ＲＯＭ、ＲＡＭ、ＣＤ-ＲＯＭ、磁気テープ、フロッピー（登録商標）ディスク及び光データメモリ等であってもよい。
【００３９】
非一時的コンピュータ可読記録媒体は、前記記録媒体における命令が装置２００のプロセッサーにより実行されるし、前記装置２００がモバイル端末１２０又は再生装置１６０に用いられると、装置２００が次のような実施例の方法を実行するようにする。
【００４０】
図３は、一例示的な実施例に係る作動状態を制御する方法を示すフローチャートであり、本実施例は、前記作動状態を制御する方法を図１に示す実施環境における再生装置１６０に適用することを例として説明する。前記方法は、次のステップを含んでもよい。
【００４１】
ステップ３０２：センサーによって現在の状態が未使用状態であると確定した時、通信接続を確立したモバイル端末が作動状態にあるか否かを検出する。
【００４２】
選択的に、前記センサーが、使用状態にある時に圧力信号を生成する圧力センサーである場合、前記圧力センサーが検出した圧力信号が圧力閾値より小さくなると、現在の状態が未使用状態であると確定する。圧力信号が圧力閾値より小さい時に、現在の状態が未使用状態であると直ちに確定することができる。又は、圧力信号が圧力閾値より小さい持続期間が、例えば、１０秒、３０秒等のような予め定められた時間閾値より大きい時に、現在の状態が未使用状態であると確定してもよい。
【００４３】
選択的に、前記センサーが、使用状態にある時に光信号強度を生成する光センサーである場合、前記光センサーが検出した光信号強度が光閾値より小さくなると、現在の状態が未使用状態であると確定する。光信号強度が光閾値より小さい時に、現在の状態が未使用状態であると直ちに確定することができる。又は、光信号強度が光閾値より小さい持続期間が、例えば、５秒、１０秒、１２秒等のような予め定められた時間閾値より大きい時に、現在の状態が未使用状態であると確定してもよい。
【００４４】
選択的に、前記センサーが位置センサーである場合、前記位置センサーが検出した変位値が変位閾値より小さいことが検出されると、現在の状態が未使用状態であると確定する。変位値が変位閾値より小さい時に、現在の状態が未使用状態であると直ちに確定することができる。又は、変位値が変位閾値より小さい持続期間が、例えば、３０秒、１分、５分等のような予め定められた時間閾値より大きい時に、現在の状態が未使用状態であると確定してもよい。
【００４５】
前記センサーは、圧力センサー、光センサー又は位置センサーからなる群から選ばれる1つ又は複数の組合せを備えてもよい。さらに、前記センサーは、例えば、赤外線センサー、温度センサー等の上記検出効果が奏される他のセンサーであってもよい。
【００４６】
選択的に、通信接続を確立したモバイル端末が作動状態にあるか否かを検出することは、前記モバイル端末が送信したマルチメディア情報又はインタラクション情報を受信したか否かを検出するステップを含む。モバイル端末１２０と再生装置１６０との間では、通信接続によってマルチメディア情報又はインタラクション情報が伝送される。再生装置１６０がマルチメディアファイルを再生することを例にすると、モバイル端末１２０又は再生装置１６０のアプリケーションを起動することによって、選択されたマルチメディアファイルを呼び出して再生する。モバイル端末１２０は、通信接続によってビデオを再生装置１６０に送信して再生する。モバイル端末１２０を制御することを例にすると、再生装置１６０は、通信接続によってモバイル端末１２０に制御命令を送信する。そして、モバイル端末１２０は、通信接続によって再生装置１６０に応答の結果を返す。これにより、インタラクションが完了する。前記インタラクション情報とは、再生装置１６０とモバイル端末１２０との間の操作挙動の情報であって、例えば、制御命令、オン命令、オフ命令等、及び各種の応答情報が挙げられる。したがって、モバイル端末１２０が送信したマルチメディア情報又はインタラクション情報を受信したか否かを検出することによって、モバイル端末１２０が作動状態にあるか否かを確定することができる。
【００４７】
ステップ３０４：モバイル端末が作動状態にある場合、モバイル端末に待機状態に入る命令を送信する。
【００４８】
モバイル端末１２０は、待機状態に入る命令を受信した後で、自身の作動状態を待機状態に調整する。
【００４９】
上述のように、本実施例に提供された作動状態を制御する方法は、再生装置１６０の使用状態を検出することによって、それとの通信接続を確立したモバイル端末を待機状態に入らせるか否かを確定することによって、モバイル端末の消費電力を下げて使用時間を延長する効果が奏される。
【００５０】
図４は、他の例示的な実施例に係る作動状態を制御する方法を示すフローチャートであり、本実施例は、図１に示す実施環境に適用して、例を挙げて説明する。前記方法は、次のステップを含んでもよい。
【００５１】
ステップ４０２：再生装置はセンサーによって現在の状態を確定する。
【００５２】
現在の状態が使用状態であれば、動作がない。現在の装置が未使用状態であれば、ステップ４０４を実行する。
【００５３】
選択的に、センサーが、使用状態にある時に圧力信号を生成する圧力センサーである場合、前記圧力センサーが検出した圧力信号が圧力閾値より小さくなると、現在の状態が未使用状態であると確定する。例えば、再生装置がヘッドＶＲプレーヤーである場合、前記ヘッドＶＲプレーヤーを使うためには、使用者がそれを頭にかぶる必要がある。ヘッドＶＲプレーヤーが使用者の顔と接触する場所で、圧力センサーが圧力信号を生成する。これにより、使用者が前記ヘッドＶＲプレーヤーを使っているし、現在の状態が使用状態であると確定することができる。逆に、圧力センサーが検出した圧力信号が圧力閾値より小さい場合、現在の状態が未使用状態であると確定する。ここで、ヘッドＶＲプレーヤーは単なる再生装置の一例で、他の方式の使用状態で、圧力信号を生成する装置であってもよい。
【００５４】
選択的に、センサーが、使用状態にある時に光信号強度を生成する光センサーである場合、前記光センサーが検出した光信号強度が光閾値より小さくなると、現在の状態が未使用状態であると確定する。例えば、再生装置がスマートメガネである場合、使用者が前記スマートメガネを着用すると、メガネスクリーンに光を発するようにトリガし、光センサーが光信号強度を検出して、現在の状態が使用状態であると確定する。逆に、光センサーが検出した光信号強度が光閾値より小さい場合、現在の状態が未使用状態であると確定する。そして、他の方式を利用して光信号強度を判断することもできる。
【００５５】
又は、光信号強度が光閾値より大きい場合、現在の状態が未使用状態であると確定する。例えば、使用者が前記スマートメガネを着用すると、光センサーが光信号を受信することを阻止することができるため、光センサーは光信号を検出することができなくなり、この時、現在の状態が使用状態であると確定する。逆に、光センサーが検出した光信号強度が光閾値より大きい場合、現在の状態が未使用状態であると確定する。ここで、ヘッドスマートメガネは単なる再生装置の一例で、光センサーを備えた他の装置であってもよい。
【００５６】
選択的に、前記センサーが位置センサーである場合、位置センサーが検出した変位値が変位閾値より小さいことが検出されると、現在の状態が未使用状態であると確定する。例えば、再生装置がウェアラブル装置である場合、使用者が前記ウェアラブル装置を着用すると、ウェアラブル装置の位置センサーは変位値が変位閾値以上であると検出して、現在使用状態にあると確定する。逆に、ウェアラブル装置の位置センサーは変位値が変位閾値より小さいことを検出して、現在の状態が未使用状態であると確定する。
【００５７】
前記センサーは、再生装置の内部に位置してもよい、そして、有線又は無線の方式によって再生装置と接続を確立してもよい。
【００５８】
ステップ４０４：再生装置は通信接続を確立したモバイル端末が作動状態にあるか否かを検出する。
【００５９】
ここで、再生装置とモバイル端末との間において、有線の方式又は無線の方式によって通信接続が確立される。両者の間の接続方式が有線接続である場合、データ線により、例えばＵＳＢインタフェース等のような両者の外部インタフェースを接続させることができる。両者の間の接続方式が無線接続である場合、Ｗｉ−Ｆｉ（Ｗｉｒｅｌｅｓｓ  Ｆｉｄｅｌｉｔｙ、無線ファイ）、ブルートゥース（登録商標）等の方式を利用できる。
【００６０】
モバイル端末と再生装置との間では、通信接続によってマルチメディア情報又はインタラクション情報が伝送される。マルチメディアファイルを再生することを例にすると、モバイル端末又は再生装置のアプリケーションを起動することによって、選択されたマルチメディアファイルを呼び出して再生する。モバイル端末は、通信接続によってビデオを再生装置に送信して再生する。モバイル端末を制御することを例にすると、再生装置は、通信接続によってモバイル端末制御命令を送信する。そして、モバイル端末は通信接続によって再生装置に応答の結果を返す。これにより、インタラクションが完了する。前記インタラクション情報とは、再生装置とモバイル端末との間の操作挙動の情報であって、例えば、制御命令、オン命令、オフ命令等、及び各種の応答情報が挙げられる。
【００６１】
したがって、モバイル端末が送信したマルチメディア情報又はインタラクション情報を受信したか否かを検出することによって、モバイル端末が作動状態にあるか否かを確定することができる。
【００６２】
ステップ４０６：モバイル端末が作動状態にある場合、再生装置はモバイル端末に待機状態に入る命令を送信する。モバイル端末が非作動状態にある場合に、動作がない。
【００６３】
ステップ４０８：モバイル端末は待機状態に入る命令を受信した後、待機状態に入る。
【００６４】
上述のように、本実施例に提供された作動状態を制御する方法は、再生装置の使用状態を検出することでそれとの通信接続を確立したモバイル端末を待機状態に入らせるか否かを確定することによって、モバイル端末の消費電力を下げて使用時間を延長する効果が奏される。
【００６５】
以下は、本発明の装置の実施例であり、本発明の方法の実施例を実行するために用いられる。本発明の装置の実施例で表していない詳細に関しては、本発明の方法の実施例を参照することができる。
【００６６】
図５は、一例示的な実施例に係る作動状態を制御する装置を示すブロック図であり、前記装置は、ソフトウェア、ハードウェア又は両者の組合せによって実現して、再生装置の部分又は全部になることができる。前記作動状態を制御する装置は、検出モジュール５１０、送信モジュール５２０を備えてもよい。
【００６７】
検出モジュール５１０は、センサーによって現在の状態が未使用状態であると確定した時、通信接続を確立したモバイル端末が作動状態にあるか否かを検出する。
【００６８】
送信モジュール５２０は、前記モバイル端末が作動状態にある場合、前記モバイル端末に待機状態に入る命令を送信する。
【００６９】
選択的に、前記センサーが、使用状態にある時に圧力信号を生成する圧力センサーである場合、前記圧力センサーが検出した圧力信号が圧力閾値より小さくなると、現在の状態が未使用状態であると確定する。
【００７０】
選択的に、前記センサーが、使用状態にある時に光信号強度を生成する光センサーである場合、前記光センサーが検出した光信号強度が光閾値より小さくなると、現在の状態が未使用状態であると確定する。
【００７１】
選択的に、前記センサーが位置センサーである場合、前記位置センサーが検出した変位値が変位閾値より小さいことが検出されると、現在の状態が未使用状態であると確定する。
【００７２】
選択的に、通信接続を確立したモバイル端末が作動状態にあるか否かを検出することは、前記モバイル端末が送信したマルチメディア情報又はインタラクション情報を受信したか否かを検出することを含む。
【００７３】
上述のように、本実施例に提供された作動状態を制御する装置は、再生装置の使用状態を検出することでそれとの通信接続を確立したモバイル端末を待機状態に入らせるか否かを確定することによって、モバイル端末の消費電力を下げて使用時間を延長する効果が奏される。
【００７４】
図６は、他の例示的な実施例に係る作動状態を制御する装置を示すブロック図であり、前記装置は、ソフトウェア、ハードウェア又は両者の組合せによって実現して、再生装置の部分又は全部になることができる。前記装置は、検出モジュール５１０、送信モジュール５２０を備え、さらに確定モジュール５３０を備えてもよい。
【００７５】
検出モジュール５１０は、センサーによって現在の状態が未使用状態であると確定した時、通信接続を確立したモバイル端末が作動状態にあるか否かを検出する。
【００７６】
送信モジュール５２０は、前記モバイル端末が作動状態にある場合、前記モバイル端末に待機状態に入る命令を送信する。
【００７７】
選択的に、確定モジュール５３０は、前記センサーが、使用状態にある時に圧力信号を生成する圧力センサーである場合、前記圧力センサーが検出した圧力信号が圧力閾値より小さくなると、現在の状態が未使用状態であると確定し、又は
前記センサーが、使用状態にある時に光信号強度を生成する光センサーである場合、前記光センサーが検出した光信号強度が光閾値より小さくなると、現在の状態が未使用状態にあると確定し、又は
前記センサーが位置センサーである場合、前記位置センサーが検出した変位値が変位閾値より小さいことが検出されると、現在の状態が未使用状態であると確定する。
【００７８】
選択的に、検出モジュール５１０は、前記モバイル端末が送信したマルチメディア情報又はインタラクション情報を受信したか否かを検出する。
【００７９】
上述のように、本実施例に提供された作動状態を制御する装置は、再生装置の使用状態を検出することでそれとの通信接続を確立したモバイル端末を待機状態に入らせるか否かを確定することによって、モバイル端末の消費電力を下げて使用時間を延長する効果が奏される。
【００８０】
前記実施例の装置に関しては、各モジュールが操作を実行する具体的な方式をもう既に前記方法に関する実施例において詳細に記述したため、ここでは詳細な説明をしない。
【００８１】
他の例示的な実施例に示した作動状態を制御する装置は、
プロセッサーと、
プロセッサーで実行可能な命令を記憶するためのメモリとを備え、
前記プロセッサーは、
センサーによって現在の状態が未使用状態であると確定した時、通信接続を確立したモバイル端末が作動状態にあるか否かを検出し、
前記モバイル端末が作動状態にある場合、前記モバイル端末に待機状態に入る命令を送信するように構成される。
【００８２】
前記センサーは、圧力センサー、光センサー又は位置センサー等を備える。
【００８３】
前記プロセッサーは、前記圧力センサーが検出した圧力信号が圧力閾値より小さくなると、現在の状態が未使用状態であると確定し、又は
前記プロセッサーは、前記光センサーが検出した光信号強度が光閾値より小さくなると、現在の状態が未使用状態であると確定し、又は
前記プロセッサーは、前記位置センサーが検出した変位値が変位閾値より小さいことが検出されると、現在の状態が未使用状態であると確定する。
【００８４】
前記プロセッサーは、さらに、受信機が前記モバイル端末から送信したマルチメディア情報又はインタラクション情報を受信したか否かを検出する。
【００８５】
当業者は、明細書に対する理解、及び明細書に記載された発明に対する実施を介して、本発明の他の実施形態を容易に取得することができる。本発明は、本発明に対する任意の変形、用途、又は適応的な変化を含み、このような変形、用途、又は適応的な変化は、本発明の一般的な原理に従い、本発明で開示していない本技術分野の公知知識、又は通常の技術手段を含む。明細書及び実施例は、単に例示的なものであって、本発明の本当の範囲と主旨は、以下の特許請求の範囲によって示される。
【００８６】
本発明は、上記で記述され、図面で図示した特定の構成に限定されず、その範囲を離脱しない状況で、様々な修正や変更を実施してもよい。本発明の範囲は、添付される特許請求の範囲のみにより限定される。
【００８７】
本願は、出願番号が２０１６１０４２２９４３．２であって、出願日が２０１６年０６月１３日である中国特許出願に基づき優先権を主張し、当該中国特許出願の内容のすべてを本願に援用する。
【図１】
0006442043.tif 000002
【図２】
0006442043.tif 000003
【図３】
0006442043.tif 000004
【図４】
0006442043.tif 000005
【図５】
0006442043.tif 000006
【図６】
0006442043.tif 000007